(57)【要約】【課題】  二次元Ｘ線センサを被検体から離して拡大撮影を行なうことによって、散乱線の増加、Ｘ線被曝の増加を招き、散乱線の増加とともに、コントラスト低下を招いてしまうという課題があるため、拡大撮影時に生じる散乱線を抑えるＸ線診断装置を提供する。【解決手段】  Ｘ線を発生するＸ線発生部と、Ｘ線を電気信号に変換する２次元Ｘ線センサと、Ｘ線を絞るＸ線絞りと、電気信号に基いてＸ線画像を構成する画像処理部とを備え、Ｘ線管と二次元Ｘ線センサの位置情報に応じて、二次元Ｘ線センサ読出し位置を変更して表示する。【選択図】  図1
2009153656.tif 000002
【特許請求の範囲】
【請求項１】
Ｘ線を発生するＸ線発生部と、Ｘ線を電気信号に変換する 二次元Ｘ線センサと、Ｘ線を絞るＸ線絞りと、前記電気信号に基いてＸ線画像を構成する画像処理部とを備え、前記Ｘ線管と前記 二次元Ｘ線センサの位置情報に応じて、前記 二次元Ｘ線センサ読出し位置を変更して表示することを特徴とするＸ線診断装置。
【発明の詳細な説明】
【技術分野】
【０００１】
本発明は、二次元X線センサ(Flat Panel)を用いて、被検体に対して斜入の状態で診断を行うX線診断装置に関する。
【背景技術】
【０００２】
従来、X線診断装置のX線を検出する検出器は、二次元X線センサやイメージインテンシファイアが用いられていた。近年、半導体技術の進歩により、大型の二次元X線センサの製造が可能となった。イメージインテンシフアイアでは得られなかった大視野の画像診断が可能となっている。(例えば、特許文献1)
大型の二次元X線センサにより、胸部、腹部、下肢などの診断が効率よく行うことが可能となった。イメージインテンシフアイアのシステムでも同様であり、腹部などを中心に検査を行うシステムでは16インチサイズのイメージインテンシフアイアが用いられ、心臓検査システムでは9インチサイズのイメージインテンシフアイアが用いられていた。心臓検査において診断対象となる血管として冠状動脈がある。3次元的に複雑な走行を有しており診断では様々な角度から撮影を行って狭窄の診断、治療を実施する。
【０００３】
【特許文献１】特開2004−321346号公報
【発明の開示】
【発明が解決しようとする課題】
【０００４】
二次元X線センサを被検体から離して拡大撮影を行なうことによって、散乱線の増加、X線被曝の増加を招いていた。また、散乱線の増加とともに、コントラスト低下を招いてしまうという課題があった。
本発明は、拡大撮影時に生じる散乱線を抑えることを目的とする。
【課題を解決するための手段】
【０００５】
本発明の目的を達成するため、X線を発生するX線発生部と、X線を電気信号に変換する二次元X線センサと、X線を絞るX線絞りと、前記電気信号に基いてX線画像を構成する画像処理部とを備え、前記X線管と前記二次元X線センサの位置情報に応じて、前記二次元X線センサ読出し位置を変更して表示する。
【発明の効果】
【０００６】
本発明により、拡大撮影時に生じる散乱線を抑えることができる。
【発明を実施するための最良の形態】
【０００７】
本発明について図1を用いて説明する。本発明のX線診断装置は、X線管1と、X線管1と対向配置される二次元X線センサ2と、一端にX線管1、他端二次元X線センサ2が取り付けられたアーム部と、アーム部と電気的に接続される支持器制御部9と、支持器制御部9と電気的に接続される操作器8と、二次元X線センサ2、支持器制御部9及び絞り制御部10と電気的に接続される有効視野制御部11と、二次元X線センサ2及び有効視野制御部11と電気的に接続される画像処理部12と、画像処理部12と電気的に接続されるディスプレイ13とを有する。
【０００８】
図2に示すように、1はX線管、2は二次元X線センサ、3と5は関心領域(被検体)、4は寝台を示す。2つの関心領域は、寝台4を水平に移動して移動する前の関心領域3と移動した後の関心領域5を示す。関心領域3の位置で診断から、寝台4を右に移動して関心領域3が5の位置まで移動した後に二次元X線センサ2の読出し領域を右端へ移動しただけで斜入の診断が実現できる。
【０００９】
図3に二次元X線センサ2の読出し移動を示す。図中、2は二次元X線センサ、20は正面位置での読出し領域、21は右端へ移動した位置での読出し領域である。二次元X線センサは全視野読出し可能であるので、一部の領域を読み出すことも可能である。読出し領域のサイズは、関心領域の形状、サイズに応じて変更することは可能であり、図3では水平方向の移動のみを示したが、二次元的に動かすこと、すなわち上下方向の移動を含めて読み出すことも可能であり、複雑な斜入にも十分追従可能である。
【００１０】
位置を設定する支持器制御部9を操作器8により変更した情報を有効視野制御部11へ入力し、その情報に基づいて有効視野制御部11は二次元X線センサ2からの読出し位置を二次元X線センサ2にセットする。二次元X線センサ2より読み出された有効視野の画像を画像処理12にて画像処理を行った後にディスプレイ13に表示する。絞り制御部10では有効視野外を絞ることにより無効被曝をなくし、散乱線低減にてコントラストを向上させる。
【００１１】
図4及び図5に絞りの配置例を示す。図4において、30は正面位置での有効視野、31は絞り羽を示す。正面位置では画像中心の有効視野30を囲むように絞り羽31が配置される。図5では左端に有効視野32が移動した場合を示し、右側の絞り羽31が大きく左側へ移動して二次元X線センサ2の大部分を覆う配置となる。したがって、支持器制御部9により連続的に位置関係が変動し、二次元X線センサ2における有効視野30及び31が連続的に移動した場合にもその位置に応じて連続的に絞り羽7が追従する。
【００１２】
また、図6及び図7に示すようにX線管1と二次元X線センサ2が寝台4に対して並行に移動した場合にも本発明は有効である。図6は有効視野が5にある場合、平均5度程度の斜入が可能である。図7では反対の方向へ平均5度程度の斜入が可能である。二次元X線センサ2は平行移動のみであり、得られる斜入角度は少ないが頭部血管造影などでは必要とされる場合があり被検体5との干渉も発生しない。
【００１３】
また、二次元X線センサ2へ有効視野制御部11が読み出し嶺域を二次元X線センサ2に設定し、その領域を二次元X線センサ2が読み出したが、二次元X線センサ2から全額域のデータを読み出し画像処理部12において、有効視野制御部11から受け取った有効視野情報を用いて画像切り出しを行ってディスプレイ13へ表示してもよい。いずれの場合でも有効視野サイズに応じた拡大表示をディスプレイ13に表示することにより診断が容易となる。
【００１４】
以上、二次元X線センサを用いた場合でも関心領域が小さい場合では斜入においても被検体と二次元X線センサとの干渉を少なくすることが可能となり、術者の操作を容易にすると共に二次元X線センサと被検体を近接配置できるので、散乱線によるコントラスト低下や被曝低減が可能となる。
【図面の簡単な説明】
【００１５】
【図１】本発明の全体構造を示すブロック図。
【図２】本発明の実施形態を示す図。
【図３】本発明の二次元X線センサの読出し移動を示す図。
【図４】本発明の絞りの配置を示す図。
【図５】本発明の絞りの配置を示すブロック図。
【図６】本発明の実施形態を示す図。
【図７】本発明の実施形態を示す図。
【符号の説明】
【００１６】
1  X線管、2  二次元X線センサ、3  関心領域(被検体)、4  寝台
【図１】
2009153656.tif 000003
【図２】
2009153656.tif 000004
【図３】
2009153656.tif 000005
【図４】
2009153656.tif 000006
【図５】
2009153656.tif 000007
【図６】
2009153656.tif 000008
【図７】
2009153656.tif 000009